(57)【要約】【課題】  股部に伸長力が生じた場合であっても、ベース生地と股布との縫合線における破損を防止することができるインナーウェアを提供する。【解決手段】  インナーウェアは、股部１０におけるベース生地１間を縫合してなる第１の縫合線部３と、股部１０におけるベース生地１と股布２とを縫合してなる第２の縫合線部４と、を備え、股部１０の展開状態における第１の縫合線部３と第２の縫合線部４とが、縫合線部の長さ方向Ｌに沿って滑らかな曲線形状となるように連結されている。【選択図】        図３
2008163522.tif 000002
【特許請求の範囲】
【請求項１】
丸編みで筒状に編み立てられるベース生地の一端部を裁断し、当該裁断した部分のうち股部となるベース生地に股布を当てて縫合されるインナーウェアにおいて、
前記股部におけるベース生地間を縫合してなる第１の縫合線部と、
前記股部におけるベース生地と股布とを縫合してなる第２の縫合線部と、を備え、
前記股部の展開状態における前記第１の縫合線部と前記第２の縫合線部とが、縫合線部の長さ方向に沿って滑らかな曲線形状となるように連結されていることを特徴とするインナーウェア。
【請求項２】
前記請求項１に記載のインナーウェアにおいて、
前記滑らかな曲線の曲率半径が、６ｃｍ以上かつ７ｃｍ以下であることを特徴とするインナーウェア。
【請求項３】
前記請求項１又は２に記載のインナーウェアにおいて、
前記股部の展開状態における前記第２の縫合線部が、前記第１の縫合線部に略平行な仮想直線を漸近線とした略三次曲線形状であることを特徴とするインナーウェア。
【請求項４】
前記請求項１乃至３のいずれかに記載のインナーウェアにおいて、
前記第２の縫合線部で縫合される前記ベース生地と前記股布との重畳領域におけるコース方向又はウェール方向のそれぞれの編目間隔が、当該重畳領域で囲まれた非重畳領域のコース方向又はウェール方向のそれぞれの編目間隔と比較して小さいことを特徴とするインナーウェア。
【請求項５】
前記請求項１乃至４のいずれかに記載のインナーウェアにおいて、
前記第１の縫合線部及び第２の縫合線部が、ノンラン編で縫合してなることを特徴とするインナーウェア。
【請求項６】
前記請求項１乃至５のいずれかに記載のインナーウェアにおいて、
前記第１の縫合線部が、前身頃となるベース生地と後身頃となるベース生地とを縫合してなることを特徴とするインナーウェア。
【発明の詳細な説明】
【技術分野】
【０００１】
この発明は、丸編みで筒状に編み立てられるインナーウェアに関するものであり、特に、股部のベース生地と股布とを縫合した縫合線における強度を高めたインナーウェアに関するものである。
【背景技術】
【０００２】
従来のパンティストッキングにおいては、パンティ部の股間にマチ布Ｂを縫着し、そのマチ布Ｂの中心を股部の中心より臀部側の後方に位置するように縫合したことを特徴とする（例えば、特許文献１参照）。
【特許文献１】特開平７−３５０３号公報
【発明の開示】
【発明が解決しようとする課題】
【０００３】
従来のパンティストッキングは、パンティ部に縫合させるマチ布Ｂが変形ひし形であり、マチ布Ｂの内側縁を縫合糸によって縫合した後、マチ布Ｂの前後両端縁からベルト部までの、重ね合わせた筒状体の裁断部を縫合することで、マチ布Ｂの内側縁における縫合線と裁断部を縫合した縫目とが所定の角度をなして連結している。このため、従来のパンティストッキングを着用する際に、股部における伸長力が縫合線と縫目との境界部分に集中し、縫合線と縫目との境界部分からパンティストッキングが破損するという問題点があった。
【０００４】
この発明は、上述のような課題を解決するためになされたもので、股部に伸長力が生じた場合であっても、ベース生地と股布との縫合線における破損を防止することができるインナーウェアを提供することを目的とする。
【課題を解決するための手段】
【０００５】
この発明に係るインナーウェアにおいては、丸編みで筒状に編み立てられるベース生地の一端部を裁断し、当該裁断した部分のうち股部となるベース生地に股布を当てて縫合されるインナーウェアにおいて、前記股部におけるベース生地間を縫合してなる第１の縫合線部と、前記股部におけるベース生地と股布とを縫合してなる第２の縫合線部と、を備え、前記股部の展開状態における前記第１の縫合線部と前記第２の縫合線部とが、縫合線部の長さ方向に沿って滑らかな曲線形状となるように連結されているものである。
【０００６】
また、この発明に係るインナーウェアにおいては、必要に応じて、前記滑らかな曲線の曲率半径が、６ｃｍ以上かつ７ｃｍ以下である。
また、この発明に係るインナーウェアにおいては、必要に応じて、前記股部の展開状態における前記第２の縫合線部が、前記第１の縫合線部に略平行な仮想直線を漸近線とした略三次曲線形状である。
【０００７】
さらに、この発明に係るインナーウェアにおいては、必要に応じて、  前記第２の縫合線部で縫合される前記ベース生地と前記股布との重畳領域におけるコース方向又はウェール方向のそれぞれの編目間隔が、当該重畳領域で囲まれた非重畳領域のコース方向又はウェール方向のそれぞれの編目間隔と比較して小さい。
【０００８】
また、この発明に係るインナーウェアにおいては、必要に応じて、前記第１の縫合線部及び第２の縫合線部が、ノンラン編で縫合してなる。
また、この発明に係るインナーウェアにおいては、必要に応じて、前記第１の縫合線部が、前身頃となるベース生地と後身頃となるベース生地とを縫合してなる。
【発明の効果】
【０００９】
この発明に係るインナーウェアにおいては、丸編みで筒状に編み立てられるベース生地の一端部を裁断し、当該裁断した部分のうち股部となるベース生地に股布を当てて縫合されるインナーウェアにおいて、前記股部におけるベース生地間を縫合してなる第１の縫合線部と、前記股部におけるベース生地と股布とを縫合してなる第２の縫合線部と、を備え、前記股部の展開状態における前記第１の縫合線部と前記第２の縫合線部とが、縫合線部の長さ方向に沿って滑らかな曲線形状となるように連結されていることにより、第１の縫合線部と第２の縫合線部との境界部に伸長力が集中することがなく、ベース生地と股布との縫合線における破損を防止することができる。
【００１０】
また、この発明に係るインナーウェアにおいては、必要に応じて、前記滑らかな曲線の曲率半径が、６ｃｍ以上かつ７ｃｍ以下であることにより、インナーウェアの通常の使用における破損を防止するための許容範囲を特定している。
【００１１】
また、この発明に係るインナーウェアにおいては、必要に応じて、前記股部の展開状態における前記第２の縫合線部が、前記第１の縫合線部に略平行な仮想直線を漸近線とした略三次曲線形状であることにより、第１の縫合線部と第２の縫合線部との境界部以外における第２の縫合線部の一部に伸長力が集中することがなく、ベース生地と股布との縫合線における破損をさらに防止することができる。
【００１２】
さらに、この発明に係るインナーウェアにおいては、必要に応じて、前記第２の縫合線部で縫合される前記ベース生地と前記股布との重畳領域におけるコース方向又はウェール方向のそれぞれの編目間隔が、当該重畳領域で囲まれた非重畳領域のコース方向又はウェール方向のそれぞれの編目間隔と比較して小さいことにより、重畳領域における股布の強度を確保しつつ、非重畳領域における股布の通気性を高めることができる。
【００１３】
また、この発明に係るインナーウェアにおいては、必要に応じて、前記第１の縫合線部及び第２の縫合線部が、ノンラン編で縫合してなることにより、第１の縫合線部及び第２の縫合線部を薄い編地とすることができるうえに、縫製することが容易となる。
【００１４】
また、この発明に係るインナーウェアにおいては、必要に応じて、前記第１の縫合線部が、前身頃となるベース生地と後身頃となるベース生地とを縫合してなることにより、丸編みで編み立てられる１本の筒状編地を用いて、インナーウェアを編成することができる。
【発明を実施するための最良の形態】
【００１５】
（本発明の第１の実施形態）
図１はこの発明を実施するための第１の実施形態におけるインナーウェアを示す概略構成図、図２は図１に示すインナーウェアのパンティ部の内側面及び股部における展開図、図３は図１に示すインナーウェアのマチ部の一例を説明するための要部拡大図、図４はこの発明を実施するための第１の実施形態における他のインナーウェアのレッグ部の内側面及び股部における展開図である。図１乃至図４において、インナーウェアは、丸編みで筒状に編み立てられるベース生地１の一端部を裁断し、この裁断した部分のうち股部１０となるベース生地１に股布２を当てて縫合される。なお、この第１の実施形態においては、ベース生地１は、伸縮性のある編地であり、平編、タック編、浮き編又はパイル編などで編成されてなる構成である。また、股布２は、ベース生地１の編地と比較して、編目間隔を同等又は変化させることで、同一又はそれ以上の伸縮性のある編地をなしており、例えば、ナイロン製の平編の下地に、表面を綿製のパイル地とすることで、通気性があり、インナーウェアの着用者に対する肌触りを良好にすることができる。
インナーウェアは、縫製方法により以下の２つに分類される。
【００１６】
第１の縫製方法は、丸編機により筒状に編んだ１本の筒状編地を用いて、パンティ部１１の内側面（左内側面１１ａ，右内側面１１ｂ）及び股部１０に相当する部分に切れ目を入れて裁断縁同士を前後で付き合わせて縫着してパンティ部１１の内側面（左内側面１１ａ，右内側面１１ｂ）及び股部１０を形成するものであり、この方法により縫製したインナーウェアとしては、例えば、パンティガードル又はボディスーツ等が挙げられる。
【００１７】
また、第２の縫製方法は、丸編機により筒状に編んだ一対（２本）の筒状編地を用いて、パンティ部１１に相当する部分に切れ目を入れて裁断縁同士を付き合わせて縫着して一体化したものであり、この方法により縫製したインナーウェアとしては、例えば、スパッツ、タイツ又はストッキング等が挙げられる。
【００１８】
以下、インナーウェアとして、パンティガードル１００を用いて説明する。
なお、この第１の実施形態に係るパンティガードル１００においては、部分的な補強と機能向上のための編地、例えば、腹部を押さえる目的で前身頃１００ａに編成する部分的な編地やヒップを持ち上げる目的で後身頃１００ｂに編成する部分的な編地等は適宜選択することができ、ここでの図示及び説明は省略する。
【００１９】
パンティガードル１００は、着用者の腰を覆う部分であるパンティ部１１と、パンティ部１１の上端をなすウエスト部１２と、パンティ部１１の下端をなす裾部１３と、着用者の股における添え生地である股布２をベース生地１に縫合し形成されるマチ部１４と、マチ部１４を包含し着用者の股に相当する股部１０とを備えている。
【００２０】
第１の縫合線部３は、パンティ部１１の内側面（左内側面１１ａ，右内側面１１ｂ）における裾部１３からマチ部１４にかけて、パンティガードル１００の前身頃１００ａに相当するベース生地１と後身頃１００ｂに相当するベース生地１とを縫合してなる。また、第２の縫合線部４は、股部１０におけるベース生地１と股布２とを縫合してなる。
【００２１】
そして、図２及び図３に示すように、パンティ部１１の左内側面１１ａ及び右内側面１１ｂの長さ方向を一致させ、パンティ部１１の左内側面１１ａ、右内側面１１ｂ及び股部１０とが同一平面上に存在するように展開した状態（以下、股部１０の展開状態と称す）における第１の縫合線部３と第２の縫合線部４とが、縫合線の長さ方向Ｌに沿って滑らかな曲線形状となるように連結されている。これにより、第１の縫合線部３と第２の縫合線部４との境界部５に伸長力が集中することがなく、ベース生地１と股布２との縫合線におけるパンティガードル１００の破損を防止することができる。
【００２２】
なお、この滑らかな曲線の曲率半径Ｒは、６ｃｍ以上かつ７ｃｍ以下であることが好ましく、この曲率半径Ｒの範囲内となるように縫製したパンティガードル１００を、左右の裾部１３をそれぞれ片手で把持した状態で、左右の裾部１３を離間する方向に股部１０を伸長させた場合であっても、第１の縫合線部３と第２の縫合線部４との境界部５に破損はなく、通常の使用に問題がないことが確認できた。
【００２３】
また、股部１０の展開状態における第２の縫合線部４は、第１の縫合線部３に略平行な仮想直線６ａ又は仮想直線６ｂを漸近線とした略三次曲線形状であることが好ましい。これにより、第２の縫合線部４に屈曲部分が存在せず、第１の縫合線部３と第２の縫合線部４との境界部５以外における第２の縫合線部４の一部に伸長力が集中することがなく、ベース生地１と股布２との縫合線におけるパンティガードル１００の破損をさらに防止することができる。
【００２４】
つぎに、パンティ部１１の内側面（左内側面１１ａ，右内側面１１ｂ）及び股部１４における縫製方法について説明する。
まず、丸編機により筒状に編んだ１本の筒状編地を用いて、パンティ部１１の内側面（左内側面１１ａ，右内側面１１ｂ）及び股部１０に相当する部分を裁断する。
【００２５】
つぎに、裁断した股部１０に相当する部分の前身頃１００ａ又は後身頃１００ｂのうち、一方のベース生地１（例えば、後身頃１００ｂのベース生地１）に、股布２の一側縁部を重ね合わせ、縫合糸によって縫合することにより、正面側又は背面側（ここでは、背面側）の第２の縫合線部４が形成されることになる。なお、ノンラン編でベース生地１と股布２とを縫合することにより、第２の縫合線部４を薄い編地とすることができるので好ましい。
【００２６】
つぎに、裁断したパンティ部１１の内側面（左内側面１１ａ，右内側面１１ｂ）に相当する部分の前身頃１００ａ及び後身頃１００ｂとなるベース生地１同士を重ね合わせ、裁断した股部１０に相当する部分における股布２が縫合されていない前身頃１００ａ又は後身頃１００ｂ（ここでは、前身頃１００ａ）のベース生地１に、股布２の他側縁部を重ね合わせる。
【００２７】
そして、裁断したパンティ部１１の内側面に相当する部分の左内側面１１ａ又は右内側面１１ｂのうち、一方の内側面（例えば、左内側面１１ａ）側から股布２の他側縁部を通り他方の内側面（ここでは、右内側面１１ｂ）側に向けて、縫合糸によって縫合することにより、左内側面１１ａの第１の縫合線部３、正面側又は背面側（ここでは、正面側）の第２の縫合線部４、及び右内側面１１ｂの第１の縫合線部３が、連続して一体に形成されることになる。なお、ノンラン編で、ベース生地１同士並びにベース生地１及び股布２を縫合することにより、第１の縫合線部３及び第２の縫合線部４を薄い編地とすることができるので好ましい。
【００２８】
なお、この第１の実施形態における股布２は、第２の縫合線部４で囲まれた領域にほぼ一致するような形状であり、マチ部１４の寸法は、例えば、左右の境界部５間の長さが１７ｃｍであり、前後の第２の縫合線部４の最外縁間の幅が１２ｃｍであり、第２の縫合線部４の両端における滑らかな曲線の曲率半径Ｒが１５７／２４ｃｍである。
【００２９】
また、この第１の実施形態における股布２は、全領域においてコース方向及びウェール方向のそれぞれの編目間隔が一定の編地としているが、第２の縫合線部４で縫合されるベース生地１と股布２との重畳領域におけるコース方向又はウェール方向のそれぞれの編目間隔が、重畳領域で囲まれた非重畳領域のコース方向又はウェール方向のそれぞれの編目間隔と比較して小さくなるような編地としてもよい。これにより、重畳領域における股布２の強度を確保しつつ、非重畳領域における股布２の通気性を高めることができる。
【００３０】
なお、この第１の実施形態においては、インナーウェアとしてパンティガードル１００を用いて説明したが、スパッツ、タイツ及びストッキングであれば、２本の筒状編地を用いて、パンティ部１１に相当する部分に切れ目を入れて裁断縁同士を付き合わせて縫着して一体化する。
【００３１】
このため、図４に示すように、股部１０の展開状態において、第１の縫合線部３が、レッグ部の左内側面１５ａ及び右内側面１５ｂの長さ方向に略垂直に形成され、第１の縫合線部３と第２の縫合線部４とが、縫合線の長さ方向Ｌに沿って滑らかな曲線形状となるように連結されている。
【図面の簡単な説明】
【００３２】
【図１】この発明を実施するための第１の実施形態におけるインナーウェアを示す概略構成図である。
【図２】図１に示すインナーウェアのパンティ部の内側面及び股部における展開図である。
【図３】図１に示すインナーウェアのマチ部の一例を説明するための要部拡大図である。
【図４】この発明を実施するための第１の実施形態における他のインナーウェアのレッグ部の内側面及び股部における展開図である。
【符号の説明】
【００３３】
１      ベース生地
２      股布
３      第１の縫合線部
４      第２の縫合線部
５      境界部
６ａ，６ｂ  仮想直線
１０    股部
１１    パンティ部
１１ａ  左内側面
１１ｂ  右内側面
１２    ウエスト部
１３    裾部
１４    マチ部
１５ａ  左内側面
１５ｂ  右内側面
１００    パンティガードル
１００ａ  前身頃
１００ｂ  後身頃
【図１】
2008163522.tif 000003
【図２】
2008163522.tif 000004
【図３】
2008163522.tif 000005
【図４】
2008163522.tif 000006